(57)【要約】【課題】使い勝手のよい電子キーシステムを提供する。【解決手段】電子キーシステム１は、リクエスト信号を受信するとレスポンス信号を無線送信する電子キー２０と、リクエスト信号を無線送信するとともにレスポンス信号を受信するとエンジンの始動を許可する車両１０とを備える。電子キー２０は、リクエスト信号の信号強度を検出するＲＳＳＩ回路２２１を有し、リクエスト信号の信号強度とリクエスト信号に含まれる送信アンテナ情報とをレスポンス信号に含ませて送信する。車両１０は、ＬＦアンテナ１２１〜１２４を有し、どのアンテナから送信されたものであるかを示す送信アンテナ情報をリクエスト信号に含ませて送信するものであって、レスポンス信号に含まれる信号強度情報及び送信アンテナ情報に基づいて電子キー２０の位置を特定し、特定した位置に応じてエンジンの始動を許可するか否かを判断する。【選択図】図１
2015116975.tif 000002
【特許請求の範囲】
【請求項１】
受信する無線信号の信号強度を検出する信号強度検出部を備え、リクエスト信号を受信すると、当該リクエスト信号に含まれる要求、及び前記信号強度検出部を通じて検出した前記リクエスト信号の信号強度情報を含ませたレスポンス信号を無線送信する電子キーと、
複数の送信アンテナを有し、前記リクエスト信号に前記複数の送信アンテナのうちどのアンテナから無線送信されたものであるかを示す送信アンテナ情報と、当該送信アンテナ情報の返信を要求する返信要求情報と、を含ませて所定の送信エリアに向けて無線送信し、前記レスポンス信号の受信を通じて得られる前記送信アンテナ情報及び信号強度情報から、前記電子キーの位置を特定し、当該特定した位置が前記所定の送信エリア以下に設定される判定エリアに含まれる場合には、制御対象の制御を許可する通信マスタと、を備えた電子キーシステムにおいて、
前記通信マスタは、ユーザの操作を検出する操作部を備え、前記操作部における特定の操作を検出した場合に前記リクエスト信号を無線送信し、これに対する前記レスポンス信号の受信を通じて前記電子キーの位置を特定し、当該特定した位置に基づいて前記判定エリアの領域を変更する電子キーシステム。
【請求項２】
請求項１に記載の電子キーシステムにおいて、
前記通信マスタは、前記操作部における特定の操作である第１の操作を検出するとともに、前記電子キーとの間の無線通信を通じて前記電子キーの位置を特定した場合、当該特定した位置が含まれないように前記判定エリアを狭める電子キーシステム。
【請求項３】
請求項１に記載の電子キーシステムにおいて、
前記通信マスタは、前記操作部における特定の操作である第２の操作を検出するとともに、前記電子キーとの間の無線通信を通じて前記電子キーの位置を特定した場合、当該特定した位置を含むように前記判定エリアを拡げる電子キーシステム。
【請求項４】
請求項１に記載の電子キーシステムにおいて、前記通信マスタは、前記操作部における特定の操作である第１の操作を検出するとともに、前記電子キーとの間の無線通信を通じて前記電子キーの位置を特定した場合、当該特定した位置が含まれないように前記判定エリアを狭め、前記操作部における特定の操作であるとともに前記第１の操作とは異なる第２の操作を検出するとともに、前記電子キーとの間の無線通信を通じて前記電子キーの位置を特定した場合、当該特定した位置を含むように前記判定エリアを拡げる電子キーシステム。
【請求項５】
請求項１〜４のうちいずれか一項に記載の電子キーシステムにおいて、
前記電子キーは、それぞれ別個の識別情報を有し、当該識別情報をレスポンス信号に含ませて送信する第１の電子キーと第２の電子キーとからなり、
前記通信マスタは、前記識別情報及び特定した前記電子キーの位置に応じて前記制御対象の制御を許可するか否かを判断する電子キーシステム。
【請求項６】
請求項１〜５のうちいずれか一項に記載の電子キーシステムにおいて、
前記通信マスタは、前記特定の操作を検出した後、前記リクエスト信号を複数回無線送信し、これに対する複数回の前記レスポンス信号の受信を通じて、前記電子キーの位置を複数箇所特定し、当該複数箇所特定した位置に基づいて前記判定エリアの領域を変更する電子キーシステム。
【請求項７】
リクエスト信号を受信すると、当該リクエスト信号に含まれる要求を含ませたレスポンス信号を無線送信する電子キーと、
複数の送信アンテナ、及び受信する無線信号の信号強度を検出する信号強度検出部を有し、前記リクエスト信号に前記複数の送信アンテナのうちどのアンテナから無線送信されたものであるかを示す送信アンテナ情報と、当該送信アンテナ情報の返信を要求する返信要求情報と、を含ませて所定の送信エリアに向けて無線送信し、前記レスポンス信号の受信を通じて得られる前記送信アンテナ情報、及び前記信号強度検出部を通じて検出する前記レスポンス信号の信号強度情報から、前記電子キーの位置を特定し、当該特定した位置が前記所定の送信エリア以下に設定される判定エリアに含まれる場合には、制御対象の制御を許可する通信マスタと、を備えた電子キーシステムにおいて、
前記通信マスタは、ユーザの操作を検出する操作部を備え、前記操作部における特定の操作を検出した場合に前記リクエスト信号を無線送信し、これに対する前記レスポンス信号の受信を通じて前記電子キーの位置を特定し、当該特定した位置に基づいて前記判定エリアの領域を変更する電子キーシステム。
【発明の詳細な説明】
【技術分野】
【０００１】
本発明は、電子キーシステムに関する。
【背景技術】
【０００２】
従来、電子キーと車両との間の無線通信を通じて、車両ドアの施解錠やエンジン始動等を許可する電子キーシステムが周知である。例えば、特許文献１の電子キーシステムにおいては、電子キーは、車両から送信されるリクエスト信号を受信すると、ＩＤコードを含むレスポンス信号を送信する。車両は、車室内の送信エリアに送信したリクエスト信号に対するレスポンス信号に含まれるＩＤコードの照合が成立した旨判断するときにはエンジン始動を、車両ドアの外側周辺の送信エリアに送信したリクエスト信号に対するレスポンス信号に含まれるＩＤコードの照合が成立した旨判断するときには車両ドアの施解錠を、それぞれ許可する。
【先行技術文献】
【特許文献】
【０００３】
【特許文献１】特開２００２−２９３８５号公報
【発明の概要】
【発明が解決しようとする課題】
【０００４】
ところで、多くの場合、無線信号の送信アンテナは、アンテナを中心として球体状の送信エリアを形成する。従って、特許文献１のような電子キーシステムにおいて、車室内の送信エリアの境界を車両の室内外を区画するボディーに沿うように設定するのは困難である。
【０００５】
たとえば、車室内の送信エリアをボディーの外側の領域を含まないように設定しようとすると、送信エリアは車室内の空間よりも狭い領域となる。この場合、電子キーは、車室内にあっても車両からのリクエスト信号を受信できないおそれがある。ひいては、電子キーが車室内にあることを車両は認識できないので、エンジン始動が適当なタイミングで許可されず、ユーザの使い勝手が悪い。
【０００６】
一方で、車室内の送信エリアを車室内の全域を含むように設定しようとすると、送信エリアはボディーの外側を含む領域となる。この場合、電子キーは、車室外にあっても車両から車室内の送信エリアに向けたリクエスト信号を受信するおそれがある。ひいては、電子キーが車室外にあることを車両は認識できないので、エンジン始動が適当なタイミングでないにもかかわらず許可されるので、ユーザの使い勝手が悪い。
【０００７】
なお、このような問題は、車両に限らず例えば住宅用の電子キーシステムなど各種の電子キーシステムにおいても同様に生じる。
本発明は、こうした実状に鑑みてなされたものであり、その目的は、使い勝手のよい電子キーシステムを提供することにある。
【課題を解決するための手段】
【０００８】
上記課題を解決するために、電子キーシステムは、受信する無線信号の信号強度を検出する信号強度検出部を備え、リクエスト信号を受信すると、当該リクエスト信号に含まれる要求、及び前記信号強度検出部を通じて検出した前記リクエスト信号の信号強度情報を含ませたレスポンス信号を無線送信する電子キーと、複数の送信アンテナを有し、前記リクエスト信号に前記複数の送信アンテナのうちどのアンテナから無線送信されたものであるかを示す送信アンテナ情報と、当該送信アンテナ情報の返信を要求する返信要求情報と、を含ませて所定の送信エリアに向けて無線送信し、前記レスポンス信号の受信を通じて得られる前記送信アンテナ情報及び信号強度情報から、前記電子キーの位置を特定し、当該特定した位置が前記所定の送信エリア以下に設定される判定エリアに含まれる場合には、制御対象の制御を許可する通信マスタと、を備え、前記通信マスタは、ユーザの操作を検出する操作部を備え、前記操作部における特定の操作を検出した場合に前記リクエスト信号を無線送信し、これに対する前記レスポンス信号の受信を通じて前記電子キーの位置を特定し、当該特定した位置に基づいて前記判定エリアの領域を変更することを要旨とする。
【０００９】
この構成によれば、ユーザは、操作部に特定の操作を行うことによってリクエスト信号の送信エリアの領域内において判定エリアを拡げたり狭めたりすることができる。これにより、ユーザは、自身が使用する状況に応じて、通信マスタに対して電子キーが特定の位置にある場合に、制御対象の制御を許可したり不許可としたりすることができるので、使い勝手がよい。
【００１０】
上記構成において、前記通信マスタは、前記操作部における特定の操作である第１の操作を検出するとともに、前記電子キーとの間の無線通信を通じて前記電子キーの位置を特定した場合、当該特定した位置が含まれないように前記判定エリアを狭めることが好ましい。
【００１１】
この構成によれば、ユーザは、操作部に第１の操作を行うことによって判定エリアを狭めることができる。これにより、通信マスタが制御対象の制御を許可する場合の通信マスタと電子キーとの位置関係が限定されるので、第３者によって制御対象の制御が不正に許可されることを抑制することができる。
【００１２】
上記構成において、前記通信マスタは、前記操作部における特定の操作である第２の操作を検出するとともに、前記電子キーとの間の無線通信を通じて前記電子キーの位置を特定した場合、当該特定した位置を含むように前記判定エリアを拡げることが好ましい。
【００１３】
この構成によれば、ユーザは、操作部に第２の操作を行うことによって判定エリアを拡げることができる。これにより、通信マスタが制御対象の制御を許可する場合の通信マスタと電子キーとの位置関係が第２の操作を行う前よりも拡がるので、ユーザは、制御対象の制御を許可しやすくなる。
【００１４】
上記構成において、前記通信マスタは、前記操作部における特定の操作である第１の操作を検出するとともに、前記電子キーとの間の無線通信を通じて前記電子キーの位置を特定した場合、当該特定した位置が含まれないように前記判定エリアを狭め、前記操作部における特定の操作であるとともに前記第１の操作とは異なる第２の操作を検出するとともに、前記電子キーとの間の無線通信を通じて前記電子キーの位置を特定した場合、当該特定した位置を含むように前記判定エリアを拡げることが好ましい。
【００１５】
この構成によれば、ユーザは、操作部に第１の操作を行うことによって判定エリアを狭めることができるとともに、操作部に第２の操作を行うことによって判定エリアを拡げることができる。このように、判定エリアを狭めたり拡げたりすることができるので、ユーザは、使い勝手がよい。
【００１６】
上記構成において、前記電子キーは、それぞれ別個の識別情報を有し、当該識別情報をレスポンス信号に含ませて送信する第１の電子キーと第２の電子キーとからなり、前記通信マスタは、前記識別情報及び特定した前記電子キーの位置に応じて前記制御対象の制御を許可するか否かを判断することが好ましい。
【００１７】
この構成によれば、通信マスタは、制御対象の制御を許可したり不許可としたりする位置を第１の電子キーと第２の電子キーとで異なるように設定することができるので、使い勝手が向上する。
【００１８】
上記構成において、請求項１〜５のうちいずれか一項に記載の電子キーシステムにおいて、前記通信マスタは、前記特定の操作を検出した後、前記リクエスト信号を複数回無線送信し、これに対する複数回の前記レスポンス信号の受信を通じて、前記電子キーの位置を複数箇所特定し、当該複数箇所特定した位置に基づいて前記判定エリアの領域を変更することを要旨とする。
【００１９】
この構成によれば、１回の特定操作を行えば、より広い範囲について判定エリアの領域を変更することができる。
上記課題を解決するために、電子キーシステムは、リクエスト信号を受信すると、当該リクエスト信号に含まれる要求を含ませたレスポンス信号を無線送信する電子キーと、複数の送信アンテナ、及び受信する無線信号の信号強度を検出する信号強度検出部を有し、前記リクエスト信号に前記複数の送信アンテナのうちどのアンテナから無線送信されたものであるかを示す送信アンテナ情報と、当該送信アンテナ情報の返信を要求する返信要求情報と、を含ませて所定の送信エリアに向けて無線送信し、前記レスポンス信号の受信を通じて得られる前記送信アンテナ情報、及び前記信号強度検出部を通じて検出する前記レスポンス信号の信号強度情報から、前記電子キーの位置を特定し、当該特定した位置が前記所定の送信エリア以下に設定される判定エリアに含まれる場合には、制御対象の制御を許可する通信マスタと、を備え、前記通信マスタは、ユーザの操作を検出する操作部を備え、前記操作部における特定の操作を検出した場合に前記リクエスト信号を無線送信し、これに対する前記レスポンス信号の受信を通じて前記電子キーの位置を特定し、当該特定した位置に基づいて前記判定エリアの領域を変更することを要旨とする。
【発明の効果】
【００２０】
本発明の電子キーシステムによれば、使い勝手がよくなる。
【図面の簡単な説明】
【００２１】
【図１】電子キーシステムの概略構成を示すブロック図。
【図２】（ａ）リクエスト信号の送信エリアを示す車両の平面図、（ｂ）は（ａ）の一部拡大図。
【図３】別例におけるリクエスト信号の送信エリアを示す車両の平面図。
【発明を実施するための形態】
【００２２】
以下、電子キーシステムの一実施形態を図面に従って説明する。
図１に示すように、電子キーシステム１は、車両１０と電子キー２０との間の無線通信を通じて各種の車両制御を行う。
【００２３】
＜電子キーの構成＞
電子キー２０は、電子キー制御部２１と、ＬＦ（Ｌｏｗ  Ｆｒｅｑｕｅｎｃｙ）帯の無線信号を受信するＬＦ受信部２２と、ＲＦ（Ｒａｄｉｏ  Ｆｒｅｑｕｅｎｃｙ）帯の無線信号を送信するＲＦ送信部２３と、を備えている。電子キー制御部２１は、ＬＦ受信部２２及びＲＦ送信部２３と電気的に接続されている。これらＬＦ受信部２２及びＲＦ送信部２３は、電子キー制御部２１によって制御される。
【００２４】
ＬＦ受信部２２は、受信するＬＦ帯の無線信号の信号強度を検出するＲＳＳＩ回路２２１を備えている。ＬＦ受信部２２は、ＬＦ帯の無線信号をパルス信号に復調する。なお、ＲＳＳＩ回路２２１は、信号強度検出部に相当する。
【００２５】
ＲＦ送信部２３は、後述するレスポンス信号をＲＦ帯の無線信号に変換する。
電子キー制御部２１のメモリ２１１には、車両１０と共通のＩＤコードが記憶されている。
【００２６】
電子キー制御部２１は、ＬＦ受信部２２を通じて後述のリクエスト信号を受信すると、メモリ２１１に記憶されたＩＤコード、後述するアンテナコード、及びＲＳＳＩ回路２２１を通じて検出した信号強度の各情報を含ませたレスポンス信号を生成する。電子キー制御部２１は、生成したレスポンス信号をＲＦ送信部２３を通じて無線送信する。
【００２７】
＜車両の構成＞
図１に示すように、車両１０は、車載制御部１１と、ＬＦ帯の無線信号を送信するＬＦ送信部１２と、ＲＦ帯の無線信号を受信するＲＦ受信部１３と、エンジンスイッチ１４と、エンジン制御装置１５と、ドアハンドルスイッチ１６と、ドアロック装置１７と、を備えている。車載制御部１１は、ＬＦ送信部１２、ＲＦ受信部１３、エンジンスイッチ１４、エンジン制御装置１５、ドアハンドルスイッチ１６、及びドアロック装置１７のそれぞれと電気的に接続されている。これらＬＦ送信部１２、ＲＦ受信部１３、エンジンスイッチ１４、エンジン制御装置１５、ドアハンドルスイッチ１６、及びドアロック装置１７は、車載制御部１１によって制御される。
【００２８】
ＬＦ送信部１２は、第１のＬＦアンテナ１２１、第２のＬＦアンテナ１２２、第３のＬＦアンテナ１２３、及び第４のＬＦアンテナ１２４に接続されている。図２（ａ）に示すように、第１のＬＦアンテナ１２１は図示しないセンターコンソールの下部に、第２のＬＦアンテナ１２２は図示しない後部右側のシート下部に、第３のＬＦアンテナ１２３は、図示しない後部左側のシート下部に、それぞれ設けられている。これら第１〜第３のＬＦアンテナ１２１〜１２３は、図２（ａ）に示すように、全体として車室内全域を覆う車内照合用信号到達エリアＳ１１に向けてＬＦ帯の無線信号を送信する。また、図２（ｂ）に示すように、４のＬＦアンテナ１２４は、前方右側のドアに設けられたドアハンドルに設けられている。第４のＬＦアンテナ１２４は、図２（ａ）に示すように、ドアハンドルを中心に車外側に向かって突出する半球状の車外照合用信号到達エリアＳ２１に向けてＬＦ帯の無線信号を送信する。
【００２９】
図１に示すように、ＬＦ送信部１２は、後述するリクエスト信号をＬＦ帯の無線信号に変換するとともに、当該無線信号を後述するアンテナコードに対応するＬＦアンテナから無線送信する。
【００３０】
ＲＦ受信部１３は、ＲＦアンテナ１３１を通じて受信するＲＦ帯の無線信号をパルス信号に復調する。
エンジンスイッチ１４は、ユーザの押し操作を検出する。なお、エンジンスイッチ１４は操作部に相当する。
【００３１】
エンジン制御装置１５は、エンジンの始動や停止を制御する。
ドアハンドルスイッチ１６は、ユーザの押し操作を検出する。なお、ドアハンドルスイッチ１６は操作部に相当する。
【００３２】
ドアロック装置１７は、ドア錠のロックとアンロックとを切り替える。
車載制御部１１のメモリ１１１には、電子キー２０と共通のＩＤコード及び第１〜第４のＬＦアンテナ１２１〜１２４それぞれに固有のアンテナコードが記憶されている。このメモリ１１１には、図２（ａ）に示すように、車内照合用信号到達エリアＳ１１よりも狭く設定された室内判定エリアＳ１２に位置する電子キー２０が受信する信号強度とその信号を送信する第１〜第３のＬＦアンテナ１２１〜１２３のアンテナコードとが対応付けられた室内判定エリア情報が記憶されている。ここでは、室内判定エリアＳ１２は、車室内に設けられる図示しないインストルメントパネル（以下、インパネ）を含まないように設定されている。また、メモリ１１１には、図２（ａ）に示すように、車外照合用信号到達エリアＳ２１よりも狭く設定された室外判定エリアＳ２２に位置する電子キー２０が受信する信号強度とその信号を送信する第４のＬＦアンテナ１２４のアンテナコードとが対応付けられた室外判定エリア情報が記憶されている。
【００３３】
これら室内判定エリア情報及び室外判定エリア情報は、予めメモリ１１１に記憶されている。また、これら室内判定エリア情報及び室外判定エリア情報は、後述の登録処理を通じてメモリ１１１に記憶させることができる。なお、アンテナコードは、送信アンテナ情報に相当する。
【００３４】
車載制御部１１は、通常モードと、登録モードとを有している。車載制御部１１は、エンジンスイッチ１４、及びドアハンドルスイッチ１６の特殊操作を検出した場合に、通常モードから登録モードに切り替える。また、登録モードの車載制御部１１は、登録処理の完了後、当該登録モードから通常モードに切り替わる。なお、特殊操作については、後述する。
【００３５】
通常モードの車載制御部１１は、アンテナコード、アンテナコードの返信を要求する情報、受信時の信号強度を要求する情報、及びＩＤコードを要求する情報の各情報を含ませたリクエスト信号を定期的に生成する。ここでは、車両１０がリクエスト信号を送信する第１〜第４のＬＦアンテナ１２１〜１２４を有しているので、アンテナコードが異なる４つのリクエスト信号を順番に生成する。そして、車載制御部１１は、生成したリクエスト信号をＬＦ送信部１２を通じて無線送信する。
【００３６】
また、車載制御部１１は、ＲＦ受信部１３を通じてレスポンス信号を受信すると、当該信号の妥当性を判断する。当該妥当性は、レスポンス信号に含まれるＩＤコードと、メモリ１１１に記憶されたＩＤコードとの照合により判断する。車載制御部１１は、レスポンス信号が妥当と判断される場合には、レスポンス信号に含まれるアンテナコード及び受信時の信号強度から電子キー２０が室内判定エリアＳ１２に位置しているか否か及び電子キー２０が室外判定エリアＳ２２に位置しているか否かを判断する。
【００３７】
車載制御部１１は、レスポンス信号に含まれるアンテナコード及び受信時の信号強度から電子キー２０が室内判定エリアＳ１２に位置していると判断した場合には、エンジン制御装置１５のエンジンの始動制御を許可する。この状態で、エンジンスイッチ１４が押し操作されたことを検出すると、車載制御部１１は、エンジン制御装置１５を通じてエンジンの始動制御を行う。
【００３８】
また、車載制御部１１は、レスポンス信号に含まれるアンテナコード及び受信時の信号強度から電子キー２０が室外判定エリアＳ２２に位置していると判断した場合には、ドアロック装置１７の作動を許可する。この状態で、ドアハンドルスイッチ１６が押し操作されたことを検出すると、車載制御部１１は、ドアロック装置１７を通じてドア錠のロックとアンロックとを切り替える。
【００３９】
なお、車載制御部１１は、レスポンス信号に含まれるアンテナコード及び受信時の信号強度から電子キー２０が室内判定エリアＳ１２に位置していると判断した場合には、電子キー２０が室外判定エリアＳ２２にも位置している場合でも、ドアロック装置１７の作動を許可しない。
【００４０】
通常モードの車載制御部１１は、エンジンスイッチ１４の特殊操作を検出した場合には、当該通常モードから登録モードに切り替わる。詳述すると、エンジンスイッチ１４の長押しを検出した場合には、室内判定エリア情報に含まれないエリア情報を室内判定エリア情報として登録するモードに切り替わる。
【００４１】
また、通常モードの車載制御部１１は、ドアハンドルスイッチ１６の特殊操作を検出した場合、当該通常モードから登録モードに切り替わる。詳述すると、ドアハンドルスイッチ１６の長押しを検出した場合には室外判定エリア情報の一部を室外判定エリア情報から除外登録するモードに、連続押しを検出した場合には室内判定エリア情報の一部を室内判定エリア情報の一部から除外登録するモードに、それぞれ切り替わる。
【００４２】
登録モードの車載制御部１１は、アンテナコード、アンテナコードの返信を要求する情報、受信時の信号強度を要求する情報、及びＩＤコードを要求する情報の各情報を含ませたリクエスト信号を生成する。ここでは、車両１０がリクエスト信号を送信する第１〜第４のＬＦアンテナ１２１〜１２４を有しているので、アンテナコードが異なる４つのリクエスト信号を順番に生成する。
【００４３】
車載制御部１１は、ＲＦ受信部１３を通じてレスポンス信号を受信すると、当該信号の妥当性を判断する。車載制御部１１は、レスポンス信号が妥当と判断される場合には、レスポンス信号に含まれるアンテナコード及び受信時の信号強度を室内判定エリア情報として登録したり、室外判定エリア情報として登録したり、室内判定エリア情報から外すように登録したり、室外判定エリア情報から外すように登録したりする。登録処理の完了後、車載制御部１１は、登録モードから通常モードに切り替わる。
【００４４】
＜電子キーシステムの作用＞
次に、電子キーシステム１の作用について説明する。
［通常モード］
まず、車載制御部１１が通常モードとされている場合について説明する。なお、メモリ１１１には、室内判定エリアＳ１２に対応する室内判定エリア情報及び室外判定エリアＳ２２室外判定エリア情報が記憶されているものとする。
【００４５】
車載制御部１１は、定期的に送信するリクエスト信号に対するレスポンス信号を受信すると、当該レスポンス信号の妥当性を判断する。そして、車載制御部１１は、レスポンス信号が妥当である場合には、受信したレスポンス信号に含まれるアンテナコード及び受信時の信号強度から、電子キー２０が室内判定エリアＳ１２に位置しているか否か、及び電子キー２０が室外判定エリアＳ２２に位置しているか否かを判断する。そして、車載制御部１１は、電子キー２０が室内判定エリアＳ１２に位置していると判断される場合には、エンジン制御装置１５を通じてエンジンの始動制御を許可する。この場合、ユーザがエンジンスイッチ１４を押し操作すれば、エンジンが始動する。また、車載制御部１１は、電子キー２０が室外判定エリアＳ２２に位置し、且つ室内判定エリアＳ１２に位置していないと判断される場合には、ドアロック装置１７を通じてドア錠のロック／アンロックの切り替えを許可する。この場合、ユーザがドアハンドルスイッチ１６を押し操作すれば、ドア錠のロック／アンロックが切り替わる。
【００４６】
［登録モード（室内判定エリア情報の一部を室内判定エリア情報の一部から除外登録するモード）］
次に、ドアハンドルスイッチ１６が特殊操作である連続押しされて、車載制御部１１が通常モードから登録モード（室内判定エリア情報の一部を室内判定エリア情報の一部から除外登録するモード）に切り替えられた場合について説明する。なお、図２（ａ）に示すように、電子キー２０は、運転席ドア外側における当該ドアに近接したポジションＰ４１に位置するものとする。このポジションＰ４１は、室内判定エリアＳ１２及び室外判定エリアＳ２２に含まれている。
【００４７】
登録モード（室内判定エリア情報の一部を室内判定エリア情報の一部から除外登録するモード）に切り替えられた車載制御部１１は、ＲＦ受信部１３を通じてレスポンス信号を受信すると、当該信号の妥当性を判断する。そして、車載制御部１１は、レスポンス信号が妥当と判断される場合には、受信時の信号強度を中心値として半径１０ｃｍまでに該当する全ての信号強度及びレスポンス信号に含まれるアンテナコードを室内判定エリア情報から外すように登録する。これにより、室内判定エリアＳ１２は、ポジションＰ４１を中心とした半径１０ｃｍの球体状をなす局所的エリアＳ３１が除外された領域となる。
【００４８】
登録モードから通常モードに復帰した車載制御部１１は、エリアＳ３１に位置する電子キー２０からレスポンス信号を受信した場合、電子キー２０が室外判定エリアＳ２２に位置し、且つ室内判定エリアＳ１２に位置していないと判断する。これにより、車両１０と電子キー２０を所持したユーザとが近接した状態であっても、ドア錠のロック／アンロックを切り替えることができる。
【００４９】
また、車載制御部１１は、エリアＳ３１に位置する電子キー２０からレスポンス信号を受信した場合、電子キー２０が室内判定エリアＳ１２に位置していないと判断するので、エンジン制御装置１５を通じてエンジンの始動制御を許可しない。すなわち、第３者がエンジンスイッチ１４を押し操作しても、エンジンは始動しない。
【００５０】
［登録モード（室外判定エリア情報の一部を室外判定エリア情報の一部から除外登録するモード）］
次に、ドアハンドルスイッチ１６が特殊操作である長押しされて、車載制御部１１が通常モードから登録モード（室外判定エリア情報の一部を室外判定エリア情報の一部から除外登録するモード）に切り替えられた場合について説明する。なお、図２（ａ）に示すように、電子キー２０は、室外判定エリアＳ２２に含まれるポジションＰ４２に位置するものとする。
【００５１】
登録モード（室外判定エリア情報の一部を室外判定エリア情報の一部から除外登録するモード）に切り替えられた車載制御部１１は、ＲＦ受信部１３を通じてレスポンス信号を受信すると、当該信号の妥当性を判断する。そして、車載制御部１１は、レスポンス信号が妥当と判断される場合には、受信時の信号強度を中心値として半径１０ｃｍまでに該当する全ての信号強度及びレスポンス信号に含まれるアンテナコードを室外判定エリア情報から外すように登録する。これにより、室外判定エリアＳ２２は、ポジションＰ４２を中心とした半径１０ｃｍの球体状をなす局所的エリアＳ３２が除外された領域となる。
【００５２】
登録モードから通常モードに復帰した車載制御部１１は、エリアＳ３２に位置する電子キー２０からレスポンス信号を受信した場合、電子キー２０が室外判定エリアＳ２２に位置していないと判断する。これにより、従来、室外判定エリアＳ２２に含まれるエリアＳ３２に電子キー２０が位置した状態であっても、ドア錠のロック／アンロックを切り替えることがでない。
【００５３】
［登録モード（室内判定エリア情報に含まれないエリア情報を室内判定エリア情報として登録するモード）］
次に、エンジンスイッチ１４が特殊操作である長押しされて、車載制御部１１が通常モードから登録モード（室内判定エリア情報に含まれないエリア情報を室内判定エリア情報として登録するモード）に切り替えられた場合について説明する。なお、図２（ａ）に示すように、電子キー２０は、図示しないインパネ上のエリアＳ３３に位置しているものとする。室内判定エリアＳ１２は、インパネを含まないように設定されているので、エリアＳ３３も室内判定エリアＳ１２に含まれない。
【００５４】
登録モード（室内判定エリア情報に含まれないエリア情報を室内判定エリア情報として登録するモード）に切り替えられた車載制御部１１は、ＲＦ受信部１３を通じてレスポンス信号を受信すると、当該信号の妥当性を判断する。そして、車載制御部１１は、レスポンス信号が妥当と判断される場合には、受信時の信号強度を中心値として半径１０ｃｍまでに該当する全ての信号強度及びレスポンス信号に含まれるアンテナコードを室内判定エリア情報として登録する。これにより、室内判定エリアＳ１２は、ポジションＰ４３を中心とした半径１０ｃｍの球体状をなす局所的エリアＳ３３を含む領域となる。
【００５５】
登録モードから通常モードに復帰した車載制御部１１は、エリアＳ３３に位置する電子キー２０からレスポンス信号を受信した場合、電子キー２０が室内判定エリアＳ１２に位置すると判断する。これにより、エンジン制御装置１５を通じてエンジンの始動制御を許可される。すなわち、ユーザがエンジンスイッチ１４を押し操作すれば、エンジンは始動する。
【００５６】
なお、登録モードにおいて車載制御部１１は、例えば、所定時間経過してもレスポンス信号を受信できない場合には、登録モードから通常モードに復帰する。
以上詳述したように、本実施形態によれば、以下に示す効果が得られる。
【００５７】
（１）電子キー２０に、受信したリクエスト信号の信号強度を検出するＲＳＳＩ回路２２１を設けた。そして、ＲＳＳＩ回路２２１を通じて検出したリクエスト信号の信号強度情報と、リクエスト信号に含まれる送信アンテナ情報と、をレスポンス信号に含ませて送信するように電子キー２０を構成した。
【００５８】
また、車両１０に、第１〜第４のＬＦアンテナ１２１〜１２４を設けた。そして、第１〜第４のＬＦアンテナ１２１〜１２４のうち、車載制御部１１が生成するリクエスト信号に含まれる送信アンテナ情報に該当するＬＦアンテナからリクエスト信号を送信するようにした。さらに、受信した複数のレスポンス信号に含まれる信号強度情報及び送信アンテナ情報に基づいて電子キー２０が室内判定エリアＳ１２に位置しているか否か、及び電子キー２０が室外判定エリアＳ２２に位置しているか否かを判断するようにした。そして、車載制御部１１は、電子キー２０が室内判定エリアＳ１２に位置していると判断した場合には、エンジン制御装置１５のエンジンの始動制御を許可するようにした。また、車載制御部１１は、電子キー２０が室外判定エリアＳ２２に位置していると判断した場合には、ドアロック装置１７の作動を許可するようにした。
【００５９】
さらに、車載制御部１１は、ドアハンドルスイッチ１６が特殊操作である連続押しされたことを検出した場合には、電子キー２０との間の無線通信を通じて特定した電子キー２０の位置を中心とする局所的なエリアを室内判定エリアＳ１２から除外するようにした。これにより、ドア錠のロック／アンロックを切り替えることができる電子キー２０の車両１０に対する位置が拡がるので、ユーザは使い勝手がよい。
【００６０】
（２）一方で、エンジンの始動制御が許可される車外に位置する電子キー２０の車両１０に対する位置が狭まるので、第３者による不正なエンジンの始動が抑制される。
（３）また、車載制御部１１は、ドアハンドルスイッチ１６が特殊操作である長押しされたことを検出した場合には、電子キー２０との間の無線通信を通じて特定した電子キー２０の位置を中心とする局所的なエリアを室外判定エリアＳ２２から除外するようにした。これにより、ドア錠のロック／アンロックを切り替えることができる電子キー２０の車両１０に対する位置が狭まるので、第３者による不正なドア錠のロック／アンロックを切り替えが抑制される。ひいては、車室内にある物品の盗難や車両自体の盗難等が抑制される。
【００６１】
（４）さらに、車載制御部１１は、エンジンスイッチ１４が特殊操作である長押しされたことを検出した場合には、電子キー２０との間の無線通信を通じて特定した電子キー２０の位置を室内判定エリアＳ１２に含めるようにした。これにより、エンジンの始動制御が許可される車内に位置する電子キー２０の車両１０に対する位置が拡がるので、ユーザは使い勝手がよい。
【００６２】
（５）ドアハンドルスイッチ１６の長押しや連続押し、あるいはエンジンスイッチ１４の長押しという簡易な操作を通じて車載制御部１１を通常モードから登録モードに切り替えて、メモリ１１１に登録される室内判定エリアＳ１２及び室外判定エリアＳ２２を変更することができる。このため、ユーザは、自身の使用形態に応じてドア錠のロック／アンロックの切り替え、及びエンジンの始動制御が許可される電子キー２０の位置を容易にカスタマイズすることができる。
【００６３】
なお、上記実施形態は、以下のように変更してもよい。
・上記実施形態では、電子キー２０にリクエスト信号の信号強度を検出するＲＳＳＩ回路２２１を設けたが、これに代えて車両１０にレスポンス信号の信号強度を検出する信号強度検出部を設けてもよい。例えば、図１に示すように、ＲＦ受信部１３にＲＳＳＩ回路１３５を設ける。このように構成しても、車載制御部１１は、リクエスト信号を受信することにより電子キー２０の車両１０に対する位置を特定することができるので、上記実施形態と同様の効果を得ることができる。
【００６４】
・上記実施形態と上記別例とを組み合わせてもよい。このように構成すれば、車載制御部１１は、レスポンス信号に含まれる信号強度情報とレスポンス信号自体の信号強度情報との両方から車両１０に対する電子キー２０の位置を特定することができる。従って、特定される車両１０に対する電子キー２０の位置の精度が向上する。
【００６５】
・上記実施形態において、電子キーシステム１に、電子キー２０と同じ構成の第２の電子キー３０を設けてもよい。そして、第２の電子キー３０に電子キー２０とは異なる識別コードを持たせるようにしてもよい。そして、車載制御部１１のメモリ１１１に、電子キー２０の識別コードと室内判定エリアＳ１２及び室外判定エリアＳ２２とが対応付けられた情報と、電子キー３０の識別コードと室内判定エリアＳ１２及び室外判定エリアＳ２２とが対応付けられた情報と、を対応付けて登録する。このように構成すれば、電子キー毎にドア錠のロック／アンロックの切り替え及びエンジンの始動が許可される位置を設定することができる。
【００６６】
・上記実施形態、及び上記別例において、ＬＦアンテナの数、及びＲＦアンテナの数は、２つ以上であれば、任意に設定してもよい。なお、４つ以上設けるのであれば、これら４つのアンテナが同一直線状に並ばないように配置することが好ましい。４つのアンテナが同一直線状に並ばないように配置すれば、２つないし３つのアンテナが設けられる場合よりも、信号強度の情報とアンテナの位置とを通じて電子キーの位置を特定しやすい。
【００６７】
・上記実施形態において、車載制御部１１は、登録モード（室内判定エリア情報に含まれないエリア情報を室内判定エリア情報として登録するモード）のように、車両に設けられるスイッチの操作を通じて車載制御部１１は、室外判定エリア情報に含まれないエリア情報を室外判定エリア情報として登録するモードを備えていてもよい。
【００６８】
このように構成すれば、ユーザは、ドア錠のロック／アンロックを切り替えることができる電子キー２０の車両１０に対する位置を拡げることができるので、使い勝手が向上する。
【００６９】
・上記実施形態では、各種登録モードの車載制御部１１は、電子キー２０からレスポンス信号を受信すると、その特定した位置（１点）を中心とした局所的なエリアを室内エリアに或いは室外判定エリアに含めたり除外したりするように信号強度を登録した。これに代えて、電子キー２０の位置を複数特定し、その複数特定した位置を中心とした局所的なエリアを室内判定エリア或いは室外判定エリアに含めたり除外したりするように信号強度を登録するようにしてもよい。
【００７０】
ここでは、通常モードから登録モード（室内判定エリア情報の一部を室内判定エリア情報の一部から除外登録するモード）に変更された車載制御部１１が電子キー２０の位置を３点特定し、その３点の位置を中心とした局所的なエリアを室内判定エリア情報から除外する場合について説明する。
【００７１】
なお、登録モードに切り替えられた後、車載制御部１１は、３つのポジションからレスポンス信号を受信するまでリクエスト信号を受信するものとする。また、ドアハンドルスイッチ１６を連続押しした後、ユーザは、電子キー２０を所持したままポジションＰ５１からポジションＰ５２を経てポジションＰ５３へ移動するものとする。図３に示すように、各ポジションＰ５１〜５３は、室内判定エリアＳ１２及び室外判定エリアＳ２２に含まれている。
【００７２】
登録モード（室内判定エリア情報の一部を室内判定エリア情報の一部から除外登録するモード）に切り替えられた車載制御部１１は、ＲＦ受信部１３を通じてレスポンス信号を受信すると、当該信号の妥当性を判断する。そして、車載制御部１１は、レスポンス信号が妥当と判断される場合には、レスポンス信号の受信強度から電子キー２０の位置を特定する（ここでは、ポジションＰ５１）。特定後、車載制御部１１は、再度リクエスト信号を送信する。これを繰り返して、電子キー２０の残り２つの位置を特定する（ここでは、ポジションＰ５２，５３）。３つの位置の特定後、ポジションＰ５１とポジションＰ５２とを結んだ線分Ｌ１、及びポジションＰ５２とポジションＰ５３とを結んだ線分Ｌ２から距離１０ｃｍに該当する全ての信号強度及びレスポンス信号に含まれるアンテナコードを室内判定エリア情報から外すように登録する。これにより、室内判定エリアＳ１２は、線分Ｌ１及び線分Ｌ２から距離１０ｃｍに該当する局所的エリアＳ３５が除外された領域となる。
【００７３】
このように構成すれば、一度の登録作業で上記実施形態よりも広い範囲の局所的なエリアを室内判定エリア或いは室外判定エリアに含めたり除外したりすることができる。
なお、３点以上で電子キー２０の位置を特定する場合には、上記別例のように線分の周囲に限らず、線分で囲まれるエリアを室内判定エリア或いは室外判定エリアに含めたり除外したりしてもよい。
【００７４】
・上記実施形態では、ドアハンドルスイッチ１６が特殊操作である連続押しされることにより、車載制御部１１が通常モードから室内判定エリア情報の登録モードに切り替えられた。そして、この登録モードにおいて、受信したレスポンス信号に含まれるアンテナコード及び受信時の信号強度を室内判定エリア情報から外すように登録した。これに代えて、エンジンスイッチ１４を特殊操作、例えば連続押しすることにより、車載制御部１１を通常モードから室内判定エリア情報の登録モードに切り替える。そして、この登録モードにおいて、受信したレスポンス信号に含まれるアンテナコード及び受信時の信号強度を室内判定エリア情報から外すように登録する。このように構成しても、上記実施形態と同様の効果を得ることができる。
【００７５】
・上記実施形態及び上記別例において、車載制御部１１におけるモードの変更を、電子キー２０側から無線信号を通じて切り替えるようにしてもよい。
・上記実施形態において、車載制御部１１は、特定した電子キー２０の位置を室外判定エリアＳ２２から除外する室外判定エリア情報の登録モードを備えていてもよい。
【００７６】
・上記実施形態では、車載制御部１１が通常モードから登録モードに移行する特殊操作をエンジンスイッチ１４の長押し、及びドアハンドルスイッチ１６の長押し、及びドアハンドルスイッチ１６の連続押しとしたが、適宜変更できる。また、別のスイッチやセンサの操作に応じて変更してもよい。
【００７７】
・上記実施形態において、電子キー２０は、車両１０と通信するものに限らない。例えば、住宅等と通信するものであってもよい。このように構成しても上記実施形態と同様の効果を得ることができる。
【００７８】
次に、上記実施形態及び上記別例より想起される技術的思想について追記する。
（イ）上記構成において、前記通信マスタは、前記電子キーの位置を特定し、特定した位置に応じて前記制御対象の制御を許可するか否かを判断する通常モードと、前記制御対象の制御を許可するか否かを判断するための制御不許可情報の登録を行う登録モードと、を有するとともに、前記制御対象の制御を開始するためのスイッチを備えるものであって、前記スイッチの特殊操作を通じて通常モードから登録モードに移行することが好ましい。
【００７９】
この構成によれば、特殊な工具や装置を用意しなくても、通信マスタを通常モードから登録モードに切り替えて、制御不許可情報を登録することができる。このため、ユーザが自分自身の要求に応じて制御不許可情報を登録しやすい。
【符号の説明】
【００８０】
１…電子キーシステム、１０…車両（通信マスタ）、１１…車載制御部、１２…ＬＦ送信部、１３…ＲＦ受信部、１４…エンジンスイッチ、１５…エンジン制御装置、１６…ドアハンドルスイッチ、１７…ドアロック装置、２０…電子キー、２１…電子キー制御部、２２…ＬＦ受信部、２３…ＲＦ送信部、３０…第２の電子キー、１１１，２１１…メモリ、１２１〜１２４…ＬＦアンテナ、１３５，２２１…ＲＳＳＩ回路（信号強度検出部）。
【図１】
2015116975.tif 000003
【図２】
2015116975.tif 000004
【図３】
2015116975.tif 000005